(57)【要約】【課題】リストバンドなどの帯状のシート材を環状に留める際に、留め具からはみ出る余分な部分を切り取る際の作業性を向上させて作業時間を短縮すること。【解決手段】リストバンド１０の両端には係止穴１１が形成されたベルト部１２、１３が設けられている。クリップ１は、仕切り板８を間に挟み、先端を逆向きにして重ねたベルト部１２、１３を、オスクリップ部３とメスクリップ部５の間に挟み留めるように構成されている。メスクリップ部５には仕切り板８の側に延びる切断刃９が設けられている。オスクリップ部３をメスクリップ部５に係止すると、メスクリップ部５と仕切り板８との間に挟まれているベルト部１３が切断刃９によって自動的に切断される。オスクリップ部３とメスクリップ部５の外周縁にエッジ形状を形成し、これを切断刃として用いて、ベルト部１３を切断することもできる。【選択図】図１
2012061133.tif 000002
【特許請求の範囲】
【請求項１】
係止穴が形成された帯状のシート材を重ねたものを挟み留めるための留め具であって、
前記係止穴に通すための係止突部が形成されたオスクリップ部と、
当該オスクリップ部とヒンジ部によりつながっており、前記オスクリップ部との間に前記シート材を挟むための隙間を形成した状態で前記オスクリップ部に係止可能なメスクリップ部と、
前記隙間に挟まれる前記シート材の少なくとも一部をその幅方向に切断するための切断刃とを有し、
当該切断刃は、前記隙間に重なった状態で挟まれる複数枚の前記シート材のうち、当該切断刃の刃先に面している層の前記シート材のみを切断可能に構成されていることを特徴とする留め具。
【請求項２】
請求項１において、
前記隙間を前記シート材の積層方向に仕切る仕切り板を有し、
前記切断刃は、前記オスクリップ部または前記メスクリップ部の前記仕切り板に面する部位、もしくは、前記仕切り板における前記オスクリップ部または前記メスクリップ部に面する部位に形成されており、
前記切断刃の刃先は、前記隙間に挟まれる前記シート材の厚み方向に延びていることを特徴とする留め具。
【請求項３】
請求項２において、
前記切断刃の基端部から刃先までの長さが前記シート材の厚み以下であることを特徴とする留め具。
【請求項４】
請求項１において、
前記切断刃は、前記オスクリップ部または前記メスクリップ部の外周縁における少なくとも前記シート材の側端と交差する部分に形成されていることを特徴とする留め具。
【請求項５】
請求項４において、
前記切断刃の刃先形状が鋸状であることを特徴とする留め具。
【請求項６】
請求項１ないし５のいずれかの項において、
前記切断刃による切断方向が前記シート材の幅方向となるように、前記切断刃を前記シート材に対して位置決めするための位置決め部を有することを特徴とする留め具。
【請求項７】
請求項６において、
前記シート材には、前記係止穴が所定間隔で形成されており、
前記位置決め部は、
前記オスクリップ部において前記係止穴と同一の配置間隔で形成された２以上の前記係止突部を備えることを特徴とする留め具。
【請求項８】
請求項１ないし７のいずれかの項において、
前記シート材の一方の側端から前記係止穴までの寸法Ｌ１が、他方の側端から前記係止穴までの寸法Ｌ２よりも大きい場合には、
前記ヒンジ部から前記係止突部までの寸法Ｌと、前記寸法Ｌ１および寸法Ｌ２との大小関係が、Ｌ２≦Ｌ＜Ｌ１となるように設定されていることを特徴とする留め具。
【請求項９】
請求項１ないし８のいずれかの項において、
前記シート材は、一端および他端に前記係止穴が形成されたリストバンドであり、
当該リストバンドの前記一端および他端を重ねて挟み留めるためのリストバンド用留め具として使用されることを特徴とする留め具。
【発明の詳細な説明】
【技術分野】
【０００１】
本発明は、リストバンドなどの帯状のシート材を重ねたものを係止穴の形成位置で挟んで留めるための留め具に関する。
【背景技術】
【０００２】
従来から、病院などにおいて、患者の診療科、氏名、年齢、血液型などの個人情報を印刷などによって表示したリストバンドを患者に装着させて、患者の特定を確実にすることが行われている。また、各種の施設利用者、イベントなどの参加者に必要な情報を印刷したリストバンドを装着させて、必要な情報を特定可能にすることが行われている。この種のリストバンドとして、シート材を所定長さの帯状にして、その一端に１つまたは複数の係止穴を設け、他端に長さ調整用の多数の係止穴を所定間隔で設けたものが用いられている。
【０００３】
このようなリストバンドを人間の四肢（例えば、手首や足首など）に装着する場合には、係止ピンが形成されたクリップなどの留め具を用いて、リストバンドの一端と他端を係止する。すなわち、帯状のリストバンドの印刷面が外側を向くようにして手首や足首などに環状にゆるく巻きつける。そして、リストバンドの一端と他端を重ね合わせて、重なり合った部分の係止穴に係止ピンを通して留め具で挟み留める。
【０００４】
ここで、リストバンドは、通常、輪の大きさを調整できるように余裕のある長さとなっている。このため、輪を小さくするとリストバンドの端部が余ってしまい、余った部分が留め具から長くはみ出して邪魔になるという問題点があった。従来は、余った部分を鋏やカッターなどの切断用具を用いて切り離していたが、この方法では切断用具を準備しなければならず、余った部分を除去するのに手間がかかるという問題点があった。
【０００５】
特許文献１には、患者の手首や足首に環状に巻き付けて両端を留め具（クリップ）で留めて使用するリストバンドが開示されている。特許文献１のリストバンドは、クリップからはみ出した余分な部分を鋏などを用いずに切断できるように構成されている。すなわち、このクリップには、クリップを留めたときにリストバンドの余分な部分の側端部に刺さる突起ピンが設けられている。これにより、突起ピンが刺さった部分に裂け目が形成され、ここからリストバンドを引き裂いて余分な部分を除去することができる。
【先行技術文献】
【特許文献】
【０００６】
【特許文献１】特開２００５−５２４２８号公報
【発明の概要】
【発明が解決しようとする課題】
【０００７】
特許文献１のリストバンドは、鋏などの切断用具は必要としないものの、クリップを留めただけでは余分な部分が除去されず、余分な部分を引きちぎって除去する作業が必要である。また、裂け目を基点として手で引きちぎることになるため、切り口が見苦しい形状になったり、クリップから端部がはみ出すなどして切断部が見苦しくなるおそれがある。
【０００８】
また、特許文献１の構成では、突起ピンが刺さる部分が係止穴に近いため、裂け目が係止穴の方向に延びて係止穴とつながってしまうおそれがある。特許文献１では、クリップに係止ピンを２本設けて２つの係止穴を用いてリストバンドを係止する２ピン方式のクリップを用いているため、一方の係止穴が裂け目とつながったとしても直ちにリストバンドが外れてしまうことはない。しかしながら、一方の係止穴が裂けるともう一方の係止穴に引っ張り力が集中するため、リストバンドが切れやすくなるおそれがある。また、１ピンのみで係止している状態では、リストバンドがピンを中心として回転してしまい、きれいな環状を保てないおそれがある。
【０００９】
本発明の課題は、このような点に鑑みて、留め具からはみ出る余分な部分のみを切り取る際の作業性を向上させて作業時間を短縮できると共に、切断部の外観が良好で、切り取る際に係止穴を損傷するおそれもないリストバンドを提案することにある。
【課題を解決するための手段】
【００１０】
上記の課題を解決するために、本発明は、係止穴が形成された帯状のシート材を重ねたものを挟み留めるための留め具であって、
前記係止穴に通すための係止突部が形成されたオスクリップ部と、
当該オスクリップ部とヒンジ部によりつながっており、前記オスクリップ部との間に前記シート材を挟むための隙間を形成した状態で前記オスクリップ部に係止可能なメスクリップ部と、
前記隙間に挟まれる前記シート材の少なくとも一部をその幅方向に切断するための切断刃とを有し、
当該切断刃は、前記隙間に重なった状態で挟まれる複数枚の前記シート材のうち、当該切断刃の刃先に面している層の前記シート材のみを切断可能に構成されていることを特徴としている。
【００１１】
本発明は、このように、帯状のシート材を重ねたものを挟み留めるための留め具に、シート材を幅方向に切断するための切断刃を設けている。従って、切断用具を別途用意しなくとも不要な部分を切断でき、切断時の作業性および作業時間を短縮できる。また、切断刃に沿って切断できるため、ピンを刺して形成した裂け目を起点として手で引きちぎる場合のように、切断部が見苦しくなるおそれがなく、係止穴を損傷するおそれもない。更に、本発明では、重ねて挟み留めたシート材のうち、切断刃の刃先と面している層（例えば、刃先と対峙する層、あるいは、刃先に沿って延びる層など）のシート材のみを切断できるように構成している。このようにすると、重ねたシート材のうちの不要な一枚のみを切断し、その下に重なっているシート材については切断しないようにすることができる。よって、例えば、リストバンドの留め具に適用した場合には、留め具からはみ出した長さ調整用の端部の余った部分のみを切断でき、その下に重なっているリストバンドとして必要な部分（輪になった部分）を切断せずに残しておくことができる。
【００１２】
本発明において、前記隙間を前記シート材の積層方向に仕切る仕切り板を設けた場合には、前記切断刃を、前記オスクリップ部または前記メスクリップ部の前記仕切り板に面する部位、もしくは、前記仕切り板における前記オスクリップ部または前記メスクリップ部に面する部位に形成すると共に、前記切断刃の刃先を、前記隙間に挟まれる前記シート材の厚み方向に延ばした構成とすることができる。このようにすると、隙間の一部が仕切り板によって切断刃から保護される。よって、切断すべきでないシート材を仕切り板によって保護される位置に挟むことができる。また、切断すべきシート材は切断刃と対峙する位置に挟んで確実に切断することができる。よって、例えば、リストバンドの留め具に適用した場合には、長さ調整用の端部を切断刃が設けられた側に挟むことにより、余った端部を確実に切断できる。そして、輪を形成する部分は仕切り材によって切断刃から保護することができる。
【００１３】
この場合に、前記切断刃の基端部から刃先までの長さを前記シート材の厚み以下にすることが望ましい。このようにすると、切断刃が設けられた側に複数枚のシート材を挟んだ場合においても、確実に切断されるのは刃先に面している１枚のみとなる。また、例えば、切断刃の基端部から刃先までの長さをシート材の厚みの半分程度とした場合には、刃先に面している１枚のシート材のみにハーフカットを施すことができる。よって、ハーフカットラインに沿って容易にシート材を切断できる。
【００１４】
また、本発明において、前記切断刃を、前記オスクリップ部または前記メスクリップ部の外周縁における少なくとも前記シート材の側端と交差する部分に形成することができる。このようにすると、留め具からシート材がはみ出す部位において、刃先に沿って延びている最上層のシート材だけを刃先の側に持ち上げて刃先に押し付けることにより、このシート材を幅方向に切断できる。よって、リストバンドの留め具として使用した場合に、最上層の余分な部分のみを切断することができる。そして、この場合に、前記切断刃の刃先形状を鋸状にすることにより、より切断しやすくすることが望ましい。
【００１５】
ここで、前記切断刃による切断方向が前記シート材の幅方向となるように、前記切断刃を前記シート材に対して位置決めするための位置決め部を有することが望ましい。例えば、前記シート材に前記係止穴が所定間隔で形成されている場合には、前記位置決め部として、前記オスクリップ部において前記係止穴と同一の配置間隔で形成された２以上の前記係止突部を設けることが望ましい。２以上の係止突部を係止穴に通すことにより、係止突部と係止穴の配列方向が一致するようにシート材を位置決めできる。よって、確実に幅方向に切断されるようにシート材を位置決めできる。
【００１６】
また、前記シート材の一方の側端から前記係止穴までの寸法Ｌ１が、他方の側端から前記係止穴までの寸法Ｌ２よりも大きい場合には、前記ヒンジ部から前記係止突部までの寸法Ｌと、前記寸法Ｌ１および寸法Ｌ２との大小関係が、Ｌ２≦Ｌ＜Ｌ１となるように設定することが望ましい。このようにすると、留め具のシート材への取り付けは、一方の側端（係止穴との距離が小さい方の側端）の側からしか行うことができなくなる。よって、リストバンドの留め具として使用した場合に、取り付け方向を間違うことがなくなり、リストバンドの余った端部を確実に切断できる。
【００１７】
本発明において、前記シート材は、一端および他端に前記係止穴が形成されたリストバンドであり、当該リストバンドの前記一端および他端を重ねて挟み留めるためのリストバンド用留め具として使用することができる。このようにすると、上記のように、リストバンドにおける長さ調整用の端部の余った部分のみを切断でき、その下に重なっているリストバンドとして必要な部分（輪になった部分）を切断してしまうおそれがない。
【発明の効果】
【００１８】
本発明によれば、留め具に切断刃を設けているため、留め具によって挟み留めるだけでシート材を容易に切断可能となる。よって、切断用具を別途用意しなくとも不要な部分を切断でき、切断時の作業性および作業時間を短縮できる。また、このとき、ピンを刺して形成した裂け目を起点として手で引きちぎる場合のように、切断部が見苦しくなるおそれがなく、係止穴を損傷するおそれもない。更に、重ねたシート材のうちの不要な一枚のみを切断し、その下に重なっているシート材については切断しないようにすることができる。よって、例えば、リストバンドの留め具として使用した場合には、留め具からはみ出した長さ調整用の端部の余った部分のみを切断でき、その下に重なっているリストバンドとして必要な部分（輪になった部分）を切断せずに残しておくことができる。
【図面の簡単な説明】
【００１９】
【図１】実施形態１のリストバンド用クリップの使用前の状態における平面図および断面図である。
【図２】使用時のリストバンド用クリップの断面図である。
【図３】リストバンドの平面図である。
【図４】実施形態２のリストバンド用クリップの使用時の平面図および断面図である。
【図５】改変例のクリップの平面図である。
【図６】改変例のクリップの断面図である。
【発明を実施するための形態】
【００２０】
以下に、図面を参照して、本発明を適用したリストバンド用クリップの実施の形態を説明する。
【００２１】
（実施形態１）
図１は実施形態１のリストバンド用クリップの使用前の状態における平面図および断面図であり、図１（ａ）は平面図、図１（ｂ）は断面図（図１（ａ）のＡ−Ａ断面図）である。また、図２は使用時のリストバンド用クリップの断面図であり、図２（ａ）は挟んだリストバンドを横断する方向に切断した断面図（図１（ａ）のＡ´−Ａ´断面図）、図２（ｂ）は挟んだリストバンドの長手方向に切断した断面図（図１（ａ）のＢ−Ｂ断面図）である。
【００２２】
まず、実施形態１のリストバンド用クリップ１（以下、クリップ１という）を用いて環状に留めて使用するリストバンドについて説明する。図３はリストバンドの平面図である。この図に示すように、リストバンド１０（シート材）は、可撓性のシート材を所定長さの帯状に形成したものである。リストバンド１０の一端は、２つの係止穴１１がリストバンド１０の長手方向に並んで形成されたベルト部１２となっている。また、リストバンド１０の他端は、多数の係止穴１１が一定間隔で配列された長さ調整用のベルト部１３となっている。ベルト部１２およびベルト部１３においては、係止穴１１が同一ピッチで配列されている。
【００２３】
ベルト部１２、１３の間には、ベルト部１２、１３よりも幅広の表示部１４が形成されている。表示部１４の表面には、各種の情報を印刷するための印刷領域１５が設けられている。リストバンド１０は、病院において、患者の手首や足首などに巻き付けて使用するのに適した素材で形成されている。
【００２４】
リストバンド１０を患者の手足などに取り付けるときには、印刷領域１５の面を外側にして患者の手足などに巻き付ける。そして、図２（ａ）（ｂ）に示すように、両端のベルト部１２、１３を係止穴１１同士が重なり合うように重ね合わせる。このとき、長さ調整用の長いベルト部１３が外周側となり、短い方のベルト部１２が内周側となるように両ベルト部を重ね合わせる。そして、リストバンド１０の輪の大きさを適切に設定すると共に、短い方のベルト部１２に形成された２箇所の係止穴１１を、ベルト部１３に形成された多数の係止穴１１のいずれか２つに重ね合わせる。そして、この重なった部分を、図２（ａ）（ｂ）に示すようにクリップ１で挟み留める。これにより、リストバンド１０を環状の状態にすることができ、患者の手足などに簡単に外れないように取り付けることができる。
【００２５】
クリップ１（留め具）は、係止穴１１よりも小径の係止ピン２（係止突部）が形成されたオスクリップ部３と、係止ピン２の先端を係合するための係合穴４が形成されたメスクリップ部５とを備えており、これらをヒンジ部６で連結した形状に一体形成されている。係止ピン２の先端には抜け止め部２ａが形成されている。図１（ａ）（ｂ）に示すように、オスクリップ部３とメスクリップ部５は概略長方形の平面形状をしている。オスクリップ部３には、その長辺方向に配列された２本の係止ピン２が形成されている。この係止ピン２の中心間隔は、リストバンド１０における係止穴１１の配列ピッチと同一である。また、メスクリップ部５には、上記の係合穴４が、ヒンジ部６を曲げたときに各係止ピン２と対峙する各位置に形成されている。
【００２６】
ヒンジ部６を曲げると、図２（ａ）（ｂ）に示すように、オスクリップ部３の係止ピン２を形成した面がメスクリップ部５の係合穴４を形成した面と対峙する。そして、各係合穴４にそれぞれ係止ピン２の先端が圧入され、抜け止め部２ａによって係止ピン２が係合穴４から抜けないようにロックされた状態が形成される。すなわち、係止ピン２および係合穴４により、オスクリップ部３がメスクリップ部５に係止される。このとき、オスクリップ部３とメスクリップ部５の間には、リストバンド１０のベルト部１２、１３を重ねて挟み込むための隙間７（図２（ａ）参照）が形成される。
【００２７】
クリップ１は、ヒンジ部６の中心線６ａ上に一端が接続された仕切り板８を備えている。この仕切り板８は、クリップ１の他の部分と一体に成形されている。仕切り板８における各係止ピン２に対応する位置には貫通穴８ａが形成されており、ヒンジ部６を曲げたときには、各係止ピン２が貫通穴８ａを通って係合穴４に係合される。よって、仕切り板８により、オスクリップ部３とメスクリップ部５の間の隙間７が上下に２分割される。２分割された各隙間７ａ、７ｂは、それぞれ、リストバンド１０を形成しているシート材の１枚分の厚み程度の寸法となっている。
【００２８】
メスクリップ部５における仕切り板８に対峙する面には、仕切り板８に向かって突出する切断刃９が形成されている。切断刃９は、メスクリップ部５における２つの係合穴４に挟まれた領域を外れた位置に形成され、且つ、２つの係合穴４の配列方向と交差する方向に延びている。実施形態１では、メスクリップ部５の長辺方向に係合穴４が配列されており、切断刃９は、係合穴４の配列方向と直交するように、メスクリップ部５の短辺方向の端縁に沿って延びている。実施形態１では、切断刃９の基端部から刃先の先端までの寸法Ｄ（図１（ｂ）参照）を、リストバンド１０を形成しているシート材の厚みと同一寸法に形成している。
【００２９】
クリップ１によってベルト部１２、１３を挟み留める手順は、以下のようにして行う。まず、図１（ａ）において破線Ｃ１で示すように、内側に巻かれるベルト部１２を、その長手方向とオスクリップ部３の長手方向とを一致させてオスクリップ部３の上に載せる。このとき、ベルト部１２の先端が係止ピン２および係合穴４に対して切断刃９とは反対側に位置するように、ベルト部１２の向きを決定する。そして、２つの係止穴１１に、それぞれ、オスクリップ部３の係止ピン２の先端を通す。
【００３０】
次に、ヒンジ部６を途中まで曲げながら、ベルト部１２を覆うように仕切り板８を移動させ、２つの貫通穴８ａにそれぞれ係止ピン２を通す。続いて、図１（ａ）において一点鎖線Ｃ２で示すように、ベルト部１３の先端がベルト部１２の先端とは逆向きとなるように、すなわち、ベルト部１３の先端側が、係止ピン２および係合穴４に対して切断刃９と同じ側に位置するようにベルト部１３の向きを設定して、仕切り板８の上にベルト部１３を載せる。そして、ベルト部１３における２つの係止穴１１に、それぞれ、係止ピン２を通してベルト部１３を位置決めする。このように、クリップ１に２本の係止ピン２１を設けると、ベルト部１２、１３の幅方向と切断刃９による切断方向とを一致させるように、ベルト部１２、１３を位置決めすることができる。
【００３１】
最後に、ヒンジ部６を更に曲げて、ベルト部１３を覆うようにメスクリップ部５を移動させ、係止ピン２の先端を係合穴４に係合してロック状態を形成する。これにより、図２（ａ）（ｂ）に示すように、ベルト部１２、１３が隙間７ａ、７ｂにそれぞれ挟まれた状態となり、ベルト部１２、１３が仕切り板８を間に挟んだ状態でオスクリップ部３とメスクリップ部５の間に重なって挟み留められた状態が形成される。そして、この過程において、メスクリップ部５の切断刃９の刃先が仕切り板８の表面近傍まで下降するため、図２（ｂ）に示すように、切断刃９によって、隙間７ｂにおいて切断刃９の刃先に面しているベルト部１３が切断される。一方、隙間７ａに挟まれているベルト部１２は、仕切り板８によって切断刃９から保護されているため、切断されることがない。
【００３２】
切断刃９は、上記のように、係止ピン２および係合穴４の配列方向と交差する方向、すなわち、挟み留められたベルト部１３の長手方向と交差する方向に延びている。このため、切断刃９によってベルト部１３を幅方向に切断できる。また、上記のように、２つの係合穴４から離れた領域に切断刃９が設けられているため、リストバンド１０を環状に留めるために用いられている２つの係止穴１１を外れた位置で、ベルト部１３が切断される。更に、クリップ１に挟むときのベルト部１３の先端の向きを上記のように設定することにより、切断刃９によるベルト部１３の切断位置を、リストバンド１０の輪を形成している部分ではなく、ベルト部１３の余った部分にすることができる。
【００３３】
このように、実施形態１のクリップ１によれば、ベルト部１２、１３を挟み留めるだけで、切断刃９により、ベルト部１３の先端側の不要部分１６（図２（ｂ）参照）を切断して除去できる。よって、切断用具を別途用意しなくとも不要な部分のみを簡単に切断できる。また、切断刃９によりベルト部１３全体を幅方向に切断できるため、切断部が見苦しくなることがなく、係止穴１１を損傷するおそれもない。更に、切断刃９の刃先と対峙するように挟まれているベルト部１３のみを切断できるため、リストバンド１０の輪になった部分までも切断してリストバンド１０が外れてしまうおそれもない。加えて、切断部がメスクリップ部５によって覆われるため、切断部が外部から見えない点でも見栄えが良い。
【００３４】
（実施形態１の改変例）
（１）実施形態１では、メスクリップ部５に切断刃９を形成しているが、オスクリップ部３に切断刃９を形成してもよい。この場合には、ベルト部１３のどの位置にある係止穴１１を使用するかを先に決定して、その部分をオスクリップ部３に乗せて隙間７ａに挟む。これにより、ベルト部１３を切断することができる。また、仕切り板８のメスクリップ部５に対峙する面、あるいは、仕切り板８のオスクリップ部３に対峙する面に切断刃９を形成してもよい。
【００３５】
（２）切断刃９の基端部から刃先までの寸法Ｄは、リストバンド１０の厚みと同一の寸法に限定されるものではなく、リストバンド１０の厚み以下の各種の寸法に変更できる。例えば、寸法Ｄを、リストバンド１０を形成しているシート材の厚みの半分程度の寸法としてもよい。このようにすると、切断刃９により、ベルト部１３にハーフカット加工を施すことができる。よって、ベルト部１３の先端を引っ張ることにより、ハーフカットラインに沿って容易にベルト部１３を切断でき、切断部の見栄えも良い。
【００３６】
（３）実施形態１では、仕切り板８を、隙間７の全領域を上下に仕切る大きさに形成していたが、少なくとも切断刃９の一端及び他端に対峙する位置に仕切り板８が設けられていればよい。このような構成においても、仕切り板８によってシート材を保護できる。よって、切断刃９により切断するシート材を、仕切り板８と切断刃９との間に挟まれた１枚のみとすることができる。
【００３７】
（実施形態２）
図４は実施形態２のリストバンド用クリップの使用時（リストバンドを挟み留めている状態）の平面図および断面図であり、図４（ａ）は平面図、図４（ｂ）（ｃ）は断面図（図４（ａ）のＥ−Ｅ断面図、Ｆ−Ｆ断面図）である。実施形態２のリストバンド用クリップ２０（以下、クリップ２０という）は、実施形態１のクリップ１と同様に、リストバンド１０のベルト部１２、１３を重ねて挟み留めるために用いられている。
【００３８】
クリップ２０（留め具）は、係止穴１１よりも小径の係止ピン２１（係止突部）が形成されたオスクリップ部２２と、係止ピン２１の先端を係合するための係合穴２３が形成されたメスクリップ部２４とを備えており、これらをヒンジ部２５で連結した形状に一体形成されている。係止ピン２１および係合穴２３は、クリップ１の場合と同様に、オスクリップ部２２およびメスクリップ部２４にそれぞれ２箇所ずつ形成されている。各係止ピン２１の先端には抜け止め部２１ａが形成されている。ヒンジ部２５を曲げると、各係合穴２３にそれぞれ係止ピン２１の先端が圧入され、抜け止め部２１ａによって係止ピン２１が係合穴２３から抜けないようにロックされた状態が形成される。そして、オスクリップ部２２とメスクリップ部２４の間に、リストバンド１０のベルト部１２、１３を重ねて挟み込むための隙間２６が形成される。
【００３９】
メスクリップ部２４の外周縁の一部分には、リストバンド１０をその幅方向に切断するための切断刃２７が形成されている。切断刃２７は、クリップ２０に挟まれたリストバンド１０の表面に沿ってリストバンド１０の幅方向に延びており、その形成位置は、リストバンド１０におけるヒンジ部２５側の側端と交差して延びている短辺側の外周縁の部分である。実施形態２では、外周縁における切断刃２７が形成された部分は、２つの係合穴２３の配列方向と直交している。切断刃２７の刃先は、図４（ｂ）に示すように、リストバンド１０の表面に対して垂直な面２７ａと、リストバンド１０の表面に沿って延びる面２７ｂとを付き合わせた下側のエッジ部分であり、刃先の断面形状が直角となっている。なお、面２７ａを上向きに傾けることにより、面２７ａ、ｂにより形成される刃先形状を鋭角にしてもよい。あるいは、面２７ａを下向きに傾けることにより、メスクリップ部２４の上面と面２７ａとを付き合わせた上側のエッジ部分を切断刃２７として用いても良い。
【００４０】
クリップ２０にベルト部１２、１３を挟み留めるときには、まず、内側に巻かれるベルト部１２を、その長手方向と係止ピン２１の配列方向とを一致させてオスクリップ部２２の上に載せる。このとき、ベルト部１２の先端が係止ピン２１および係合穴２３に対して切断刃２７とは反対側に位置するように、ベルト部１２の向きを決定する。そして、２つの係止穴１１に、それぞれ、オスクリップ部２２の係止ピン２１を通す。
【００４１】
続いて、ベルト部１３の先端がベルト部１２の先端とは逆向きとなるように、すなわち、ベルト部１３の先端側が、係止ピン２および係合穴４に対して切断刃２７と同じ側に位置するようにベルト部１３の向きを決定して、ベルト部１２の上にベルト部１３を載せる。そして、ベルト部１３における２つの係止穴１１に、それぞれ、係止ピン２１を通す。なお、予めベルト部１２、１３の先端を逆向きにして、係止穴１１が重なるように重ね合わせた後、これらをオスクリップ部２２の上に載せて係止穴１１に係止ピン２１を通しても良い。このように、クリップ２０に２本の係止ピン２１を設けると、ベルト部１２、１３の幅方向と切断刃２７による切断方向とを一致させるように、ベルト部１２、１３を位置決めすることができる。
【００４２】
最後に、ヒンジ部２５を曲げて、ベルト部１３を覆うようにメスクリップ部２４を移動させ、係止ピン２１の先端を係合穴２３に係合してロック状態を形成する。これにより、図４（ｂ）に示すように、ベルト部１２、１３が隙間２６において重なった状態で挟み留められた状態となる。また、このとき、クリップ２０の外周端における切断刃２７が形成された部位からベルト部１３の余分な部分がはみ出た状態となる。よって、この状態から、はみ出たベルト部１３を切断刃２７の側に持ち上げて引っ張ることにより、面２７ａ、２７ｂを付き合わせた刃先部分にベルト部１３を押し付けて切断することができる。
【００４３】
このように、実施形態２では、クリップ２０でベルト部１２、１３を挟み留めることにより、クリップ２０の外周縁に設けられた切断刃２７により、ベルト部１３の余分な部分を切断可能となる。このような切断作業は、手間がかからず、極めて容易である。特に、切断刃２７がベルト部１３の側端と交差しているため、切り始めが容易である。また、切断刃２７の刃先に沿って直線状に切断できるため、切断部が見苦しくなることがない。加えて、クリップ２０の外周縁で切断するため、係止穴１１を損傷するおそれもない。更に、切断刃２７の刃先に面しており、この刃先に沿って延びている最上層のベルト部１３のみを切断できるため、リストバンド１０の輪になった部分を損傷してリストバンド１０が外れてしまうおそれもない。なお、実施形態２では、切断刃２７がベルト部１３の幅よりも長いため、ベルト部１３全体を切断刃２７に沿って切断できる。
【００４４】
（実施形態２の改変例）
図５は、改変例のクリップの平面図である。実施形態２では、切断刃２７を直線状に形成しているが、図５に示すように、刃先形状が鋸状の切断刃２８を形成してもよい。このような形状にすると、ベルト部１３の切断がさらに容易となる。また、図５に示すように、切断刃２８とベルト部１３の側端との交差角度が直角ではなく鋭角あるいは鈍角となるように、切断刃２８の平面形状を決定してもよい。
【００４５】
（実施形態１、２に適用可能な改変例）
（１）上記実施形態では、ベルト部１２、１３の左右の側端のうちのどちら側からでもクリップ１、２０により挟み込むことが可能な構成であったが、係止穴１１の列がベルト部１２、１３の右端寄りもしくは左端寄りに偏って形成されている場合には、クリップ１、２０の取り付け方向を一方の側からに限定することが可能である。すなわち、係止穴１１から遠い側端の側からは挟み留めることができず、係止穴１１に近い側端の側からのみ挟み留めることが可能な構成とすることができる。
【００４６】
図６は、改変例のクリップの断面図であり、実施形態１のクリップに適用したものを示す。図６に示すように、本例では、リストバンド１０のベルト部１２、１３における係止穴１１の位置が、ベルト部１２、１３の幅方向の中心から外れている。そのため、一方の側端１２ａ、１３ａから係止穴１１までの寸法Ｌ１が、他方の側端１２ｂ、１３ｂから係止穴１１までの寸法Ｌ２よりも大きくなっている。本例では、このような配置を考慮して、クリップ１におけるヒンジ部６から係止ピン２までの寸法をＬとしたときに、Ｌ２≦Ｌ＜Ｌ１の関係が成り立つように、寸法Ｌを設定している。
【００４７】
このような寸法設定においては、図６に示すように、係止穴１１により近い側端１２ｂ、１３ｂの側からクリップ１で留めた場合には、係止穴１１に係止ピン２が届き、クリップ１でベルト部１２、１３を挟み留めることができる。これに対し、係止穴１１から遠い側端１２ａ、１３ａの側からクリップ１で留めようとしても、係止穴１１に係止ピン２が届く前にヒンジ部６に側端１２ａ、１３ａがぶつかってしまい、係止ピン２が係止穴１１に届かない。よって、この方向からクリップ１を留めることはできない。実施形態２のクリップ２０についても同様に、側端１２ｂ、１３ｂの側からのみクリップ２０を留めることが可能な構成にすることができる。
【００４８】
上記実施形態１、２では、どちらの側端からでもクリップ１、２０で挟み留めることができたため、不注意などにより、ベルト部１３の先端が係止穴１１に対して切断刃９あるいは切断刃２７とは逆の側を向くようにベルト部１２、１３を挟んでしまうおそれがあった。そして、この場合には、切断刃９あるいは切断刃２７によって切断されるのは、リストバンド１０の輪を構成する部分となってしまう。このため、ベルト部１３の不要部分１６を除去できず、輪になっている部分が切断されてリストバンド１０が外れてしまうおそれがあった。これに対し、この改変例を適用すると、係止穴１１に対してベルト部１３の先端と同じ側に切断刃９あるいは切断刃２７が配置される方向にのみ、クリップ１、２０を取り付けることができる。よって、確実にベルト部１３の不要な部分を切断できる。
【００４９】
なお、図６に示す例では、クリップ１の側方にベルト部１２、１３がはみ出ており、切断刃９によって切断されるのはベルト部１３の幅方向の一部のみである。しかしながら、この場合においても、切断刃９は、少なくとも係止穴１１を越える程度の位置までベルト部１３を切断でき、ベルト部１３のかなりの部分を切断できる。また、その切断線は直線状である。よって、残りの部分を裂いてベルト部１３の不要部分を除去する作業は極めて容易である。また、実施形態２のクリップ２０に本改変例を適用した場合も同様に、切断刃２７が少なくとも一方の側端と交差しており、少なくとも係止穴１１を越える程度の位置まではベルト部１３を切断できる。よって、残りの部分を裂いてベルト部１３の不要部分を除去する作業は極めて容易である。
【００５０】
（２）上記実施形態１、２は、いずれも、人間の四肢に取り付けるためのリストバンドに本発明を適用したものであったが、本発明は、リストバンド以外の用途にも適用可能である。例えば、各種の被検体やサンプル品、製品などに識別用に取り付けるための表示バンド用クリップや、目印として任意の物体に取り付けるための表示バンド用クリップなどに適用することができる。また、表面に文字などを表示した表示バンドのほか、情報を格納したタグなどを内蔵するバンドを取り付けるためのクリップに適用することもできる。
【符号の説明】
【００５１】
１…リストバンド用クリップ（クリップ／留め具）、２…係止ピン（係止突部／位置決め部）、２ａ…抜け止め部、３…オスクリップ部、４…係合穴、５…メスクリップ部、６…ヒンジ部、６ａ…中心線、７、７ａ、７ｂ…隙間、８…仕切り板、８ａ…貫通穴、９…切断刃、１０…リストバンド（シート材）、１１…係止穴、１２…ベルト部（シート材）、１２ａ、１２ｂ…側端、１３…ベルト部（シート材）、１３ａ、１３ｂ…側端、１４…表示部、１５…印刷領域、１６…不要部分、２０…リストバンド用クリップ（クリップ／留め具）、２１…係止ピン（係止突部／位置決め部）、２１ａ…抜け止め部、２２…オスクリップ部、２３…係合穴、２４…メスクリップ部、２５…ヒンジ部、２６…隙間、２７…切断刃、２７ａ、２７ｂ…面、２８…切断刃
【図１】
2012061133.tif 000003
【図２】
2012061133.tif 000004
【図３】
2012061133.tif 000005
【図４】
2012061133.tif 000006
【図５】
2012061133.tif 000007
【図６】
2012061133.tif 000008